(57)【要約】      （修正有）【課題】建物の天井躯体部に吊りボルトや交叉筋交い部材によって取り付けられる天井材の取付強度を補強するために設けられる多数の交叉筋交い部材同士を互いに連結するための交叉筋交い部材連結具を提供する。【解決手段】一方の交叉筋交い部材５とこれに交叉する他方の被交叉筋交い部材６とを互いに交叉状態に連結する交叉筋交い部材連結具７であって、交叉筋交い部材連結具７は、一方の交叉筋交い部材５を連結する一方の交叉筋交い部材連結部８と、一方の交叉筋交い部材連結部８を挟んでその両側に一体形成され、他方の被交叉筋交い部材６を連結するための他方の被交叉筋交い部材連結部９とからなる。【選択図】図３
0003211604.tif 000002
【実用新案登録請求の範囲】
【請求項１】
天井躯体部Ｓより垂設される吊りボルト１に野縁受け２を懸架するために吊りボルト１の下端部１ａに取り付けられ野縁受け懸架金具３、又は天井躯体部Ｓ又は吊りボルト１にその上端部が取り付けられその下端部が野縁受け２に直接に傾斜して又は垂直に取り付けられる傾斜状又は垂直状振れ止め部材４等を一方の交叉筋交い部材５とし、該一方の交叉筋交い部材５に交叉する野縁受け２、又は隣り合う野縁受け２間にわたって交叉して水平に取り付けられる水平状振れ止め部材４Ａ等を他方の被交叉筋交い部材６とし、一方の交叉筋交い部材５とこれに交叉する他方の被交叉筋交い部材６とを互いに交叉状態に連結する交叉筋交い部材連結具７であって、
該交叉筋交い部材連結具７は、前記一方の交叉筋交い部材５を連結する一方の交叉筋交い部材連結部８と、該一方の交叉筋交い部材連結部８を挟んでその両側に一体形成され、他方の被交叉筋交い部材６を連結するための他方の被交叉筋交い部材連結部９とからなる交叉筋交い部材連結具。
【請求項２】
前記一方の交叉筋交い部材連結部８は、該一方の交叉筋交い部材５の非交叉面側５ａに当接する非交叉面側当接部８ａと、該一方の交叉筋交い部材５の左右両側面側５ｂ，５ｂに当接する左右両側面側当接部８ｂ，８ｂとを有し、これらの当接部８ａ，８ｂ，８ｂによって凹状に囲繞されるよう嵌め入れて該交叉筋交い部材５をその長手方向に直交する幅方向への移動を規制する凹状連結部８Ａからなり、該一方の交叉筋交い部材連結部８を挟んでその両側に一体形成される他方の被交叉筋交い部材連結部９は、前記凹状連結部８Ａに嵌め入れられた一方の交叉筋交い部材５と被交叉筋交い部材６とが交叉して互いに当接する交叉面側５ｃ，６ａのうち、被交叉筋交い部材６の交叉面側６ａに当接する交叉面側当接部９ａを有し、且つ該交叉面側当接部９ａは、前記一方の交叉筋交い部材５の非交叉面側５ａに当接する凹状連結部８Ａの前記被交叉面側当接部８ａよりも一方の交叉筋交い部材５の長手方向に長い当接幅Ｌを有する平面鍔状被連結部９Ａからなり、前記一方の交叉筋交い部材連結部８である凹状連結部８Ａの中心部に一つのビス孔１０を設け、前記他方の被交叉筋交い部材連結部９である平面鍔状被連結部９Ａにその長い当接幅Ｌ方向に沿うようにして複数のビス孔１１を設けてなる請求項１に記載の交叉筋交い部材連結具。
【請求項３】
前記吊りボルト１の下端部１ａに取り付けられた野縁受け懸架金具３である一方の交叉筋交い部材５と、これに直交するように水平に交叉して取り付けられる水平状振れ止め部材４Ａである他方の被交叉筋交い部材６とを互いの交叉面側５ｃ，６ａを当接して、該一方の交叉筋交い部材５と他方の被交叉筋交い部材６とを交叉筋交い部材連結具７によって連結するにあたって、一方の交叉筋交い部材５を前記一方の交叉筋交い部材連結部８である凹状連結部８Ａに嵌め入れて該凹状連結部８Ａに設けられているビス孔１０からビス１２を一方の交叉筋交い部材５とこれに交叉する他方の被交叉筋交い部材６の互いの交叉面側５ｃ，６ａを貫通してビス止めされ、他方の被交叉筋交い部材６を他方の被交叉筋交い部材連結部９である平面鍔状被連結部９Ａに当接して、該平面鍔状被連結部９Ａに設けている複数のビス孔１１から単数又は複数のビス１３を他方の被交叉筋交い部材６の交叉面側６ａを貫通してビス止めされてなる請求項２に記載の交叉筋交い部材連結具。
【請求項４】
吊りボルト１にその上端部が取り付けられその下端部が野縁受け２に直接に傾斜して取り付けられる傾斜状振れ止め部材４等からなる一方の交叉筋交い部材５と、野縁受け２又は野縁受け２間にわたって水平に取り付けられる水平状振れ止め部材４Ａである他方の被交叉筋交い部材６とを互いの交叉面側５ｃ，６ａを当接して、該一方の交叉筋交い部材５と他方の被交叉筋交い部材６とを交叉筋交い部材連結具７によって連結するにあたって、一方の交叉筋交い部材５を一方の交叉筋交い部材連結部８である凹状連結部８Ａに嵌め入れて該凹状連結部８Ａに設けられている一つのビス孔１０からビス１２を一方の交叉筋交い部材５の交叉面側５ｃと他方の被交叉筋交い部材６の交叉面側６ａとに貫通してビス止めされ、他方の被交叉筋交い部材６の交叉面側６ａを他方の被交叉筋交い部材連結部９である平面鍔状被連結部９Ａに当接して、一方の交叉筋交い部材５の傾斜度に合わせて被交叉筋交い部材６の交叉面側６ａに当接する平面鍔状被連結部９Ａに設けている複数のビス孔１１から単数又は複数のビス１３を他方の被交叉筋交い部材６の交叉面側６ａを貫通してビス止めしてなる請求項２に記載の交叉筋交い部材連結具。
【請求項５】
天井躯体部Ｓにその上端部が取り付けられその下端部が野縁受け２に直接に垂直に取り付けられる垂直状振れ止め部材４等からなる一方の交叉筋交い部材５と、野縁受け２又は野縁受け２間にわたって水平に取り付けられる水平状振れ止め部材４Ａである他方の被交叉筋交い部材６とを互いの交叉面側当接部５ｃ，６ａを当接して、該一方の交叉筋交い部材５と他方の被交叉筋交い部材６とを交叉筋交い部材連結具７によって連結するにあたって、一方の交叉筋交い部材５を一方の交叉筋交い部材連結部８である凹状連結部８Ａに嵌め入れて該凹状連結部８Ａに設けられている一つのビス孔１０からビス１２を一方の交叉筋交い部材５の交叉面側５ｃと他方の被交叉筋交い部材６の交叉面側６ａとに貫通してビス止めし、他方の被交叉筋交い部材６の交叉面側６ａを他方の被交叉筋交い部材連結部９である平面鍔状被連結部９Ａに当接して、該平面鍔状被連結部９Ａに設けている複数のビス孔１１から単数又は複数のビス１３を他方の被交叉筋交い部材６の交叉面側６ａを貫通してビス止めされてなる請求項２に記載の交叉筋交い部材連結具。
【請求項６】
前記凹状連結部８Ａはその非交叉面側当接部８ａとその左右両端部を内向きＬ字状に折曲してなる左右両側面側当接部８ｂ，８ｂとによって形成され、平面鍔状被連結部９Ａは凹状連結部８Ａの左右両側面側当接部８ｂ，８ｂの夫々の端部を外向きＬ字状に折曲してなる交叉面側当接部９ａによって形成され、且つ該交叉面側当接部９ａは前記一方の交叉筋交い部材５に対する凹状連結部８Ａの前記被交叉面側当接部８ａよりも一方の交叉筋交い部材５の長手方向に長い当接幅Ｌを有するようになっており、前記凹状連結部８Ａの非交叉面側当接部８ａに一つのビス孔１０が形成され、前記平面鍔状被連結部９Ａには、その当接幅の長い当接幅Ｌ方向に適当間隔に複数のビス孔１１が形成され、凹状連結部８Ａと平面鍔状被連結部９Ａとは鋼板の曲げ加工によって一体形成されてなる請求項２に記載の交叉筋交い部材連結具。
【請求項７】
凹状連結部８Ａの非交叉面側当接部８ａの幅方向中心部に設けられている一つのビス孔１０に嵌挿されるビス１２は凹状連結部８Ａに嵌め入れられた一方の交叉筋交い部材５にビス止めされ、平面鍔状被連結部９Ａにその交叉面側当接部９ａの長い当接幅方向に複数のビス孔１１が設けられ、且つ一方の交叉筋交い部材５と他方の被交叉筋交い部材６との交叉角度如何によらず、平面鍔状被連結部９Ａに設けられる複数のビス孔１１のうち、少なくともその一部のビス孔１１が常に他方の被交叉筋交い部材６の交叉面側６ａに面している請求項２に記載の交叉筋交い部材連結具。
【請求項８】
天井躯体部Ｓのコーナー隅部に段状の天井材Ｔを形成するにあたって、天井躯体部Ｓに一方の交叉筋交い部材５を交叉筋交い部材連結具７によって取り付け、一方の交叉筋交い部材５に直交するようにして天井躯体部Ｓに他方の被交叉筋交い部材６を交叉筋交い部材連結具７によって取り付け、一方の交叉筋交い部材５と他方の被交叉筋交い部材６とに段状の天井材Ｔを取り付け形成するようにしてなる請求項１〜７の何れかに記載の交叉筋交い部材連結具。
【考案の詳細な説明】
【技術分野】
【０００１】
本考案は、建物の天井躯体部に吊りボルトや交叉筋交い部材によって取り付けられる天井材の取付強度を補強するために設けられる多数の交叉筋交い部材同士を互いに連結するための交叉筋交い部材連結具に関する。
【背景技術】
【０００２】
建物の天井躯体部に吊りボルトや振れ止め部材によって天井材が取り付けられるが、地震などの外部圧力によって天井材が天井躯体部から脱落したりする危険性があるため、天井躯体部と天井材との間で多数の交叉筋交い部材を設け、これによって天井材の天井躯体部からの脱落を防止するようにしている。この際に、吊りボルトの振れ止め、すなわち吊りボルトの下端部に取り付けられ野縁受け金具の振れ止め用として振れ止め筋交いを吊りボルトの上端部、又は天井躯体部と野縁受けとにわたって取り付けるようにしているが、吊りボルトの振れ止めは、左右方向のみならず、これに直交する前後方向の振れ止め用の筋交いを設ける必要がある。
【０００３】
すなわち、振れ止め筋交いを吊りボルトの上端部、又は天井躯体部と野縁受けとにわたって傾斜状に取り付けることによって野縁受けの長手方向に沿う左右方向への振れ止めを果たすことができるが、これに直交する前後方向の振れ止めを計るためには、野縁受けの長手方向に沿って左右方向の振れ止めのために設けた振れ止め用筋交いに対して、これに直交する前後方向の振れ止めのための振れ止め用筋交いを設ける必要がある。
【０００４】
従来では、この前後方向の振れ止めのための振れ止め用筋交い同士を簡単に連結するための連結具の提案が見られない。
【考案の概要】
【考案が解決しようとする課題】
【０００５】
本考案は、上記従来技術に鑑み、野縁受けの長手方向に沿って左右方向の振れ止めのために設けた振れ止め用筋交いに対して、これに直交する前後方向の振れ止めのための振れ止め用筋交い等の交叉筋交い部材同士を簡単な構造によって取り付けることが可能とした交叉筋交い部材連結具を提案することを目的とする。
【課題を解決するための手段】
【０００６】
上記目的を達成するための手段を図面の参照符号を付して示せば、請求項１に係る交叉筋交い部材連結具７は、天井躯体部Ｓより垂設される吊りボルト１に野縁受け２を懸架するために吊りボルト１の下端部１ａに取り付けられ野縁受け懸架金具３、又は天井躯体部Ｓ又は吊りボルト１にその上端部が取り付けられその下端部が野縁受け２に直接に傾斜して又は垂直に取り付けられる傾斜状又は垂直状振れ止め部材４等を一方の交叉筋交い部材５とし、該一方の交叉筋交い部材５に交叉する野縁受け２、又は隣り合う野縁受け２間にわたって交叉して水平に取り付けられる水平状振れ止め部材４Ａ等を他方の被交叉筋交い部材６とし、一方の交叉筋交い部材５とこれに交叉する他方の被交叉筋交い部材６とを互いに交叉状態に連結する交叉筋交い部材連結具７であって、
該交叉筋交い部材連結具７は、前記一方の交叉筋交い部材５を連結する一方の交叉筋交い部材連結部８と、該一方の交叉筋交い部材連結部８を挟んでその両側に一体形成され、他方の被交叉筋交い部材６を連結するための他方の被交叉筋交い部材連結部９とからなるものである。
【０００７】
請求項２に係る交叉筋交い部材連結具７は、主に図１及び図３に示すように、前記一方の交叉筋交い部材連結部８は、該一方の交叉筋交い部材５の非交叉面側５ａに当接する非交叉面側当接部８ａと、該一方の交叉筋交い部材５の左右両側面側５ｂ，５ｂに当接する左右両側面側当接部８ｂ，８ｂとを有し、これらの当接部８ａ，８ｂ，８ｂによって凹状に囲繞されるよう嵌め入れて該交叉筋交い部材５をその長手方向に直交する幅方向への移動を規制する凹状連結部８Ａからなり、該一方の交叉筋交い部材連結部８を挟んでその両側に一体形成される他方の被交叉筋交い部材連結部９は、前記凹状連結部８Ａに嵌め入れられた一方の交叉筋交い部材５と被交叉筋交い部材６とが交叉して互いに当接する交叉面側５ｃ，６ａのうち、被交叉筋交い部材６の交叉面側６ａに当接する交叉面側当接部９ａを有し、且つ該交叉面側当接部９ａは、前記一方の交叉筋交い部材５の非交叉面側５ａに当接する凹状連結部８Ａの前記被交叉面側当接部８ａよりも一方の交叉筋交い部材５の長手方向に長い当接幅を有する平面鍔状被連結部９Ａからなり、前記一方の交叉筋交い部材連結部８である凹状連結部８Ａの中心部に一つのビス孔１０を設け、前記他方の被交叉筋交い部材連結部９である平面鍔状被連結部９Ａにその長い当接幅方向に沿うようにして複数のビス孔１１を設けてなる請求項１に記載の構成からなるものである。
【０００８】
請求項３に係る交叉筋交い部材連結具７は、図３に示すように、前記吊りボルト１の下端部１ａに取り付けられた野縁受け懸架金具３である一方の交叉筋交い部材５と、これに直交するように水平に交叉して取り付けられる水平状振れ止め部材４Ａである他方の被交叉筋交い部材６とを互いの交叉面側５ｃ，６ａを当接して、該一方の交叉筋交い部材５と他方の被交叉筋交い部材６とを交叉筋交い部材連結具７によって連結するにあたって、一方の交叉筋交い部材５を前記一方の交叉筋交い部材連結部８である凹状連結部８Ａに嵌め入れて該凹状連結部８Ａに設けられているビス孔１０からビス１２を一方の交叉筋交い部材５とこれに交叉する他方の被交叉筋交い部材６の互いの交叉面側５ｃ，６ａを貫通してビス止めされ、他方の被交叉筋交い部材６を他方の被交叉筋交い部材連結部９である平面鍔状被連結部９Ａに当接して、該平面鍔状被連結部９Ａに設けている複数のビス孔１１から単数又は複数のビス１３を他方の被交叉筋交い部材６の交叉面側６ａを貫通してビス止めされてなる請求項２に記載の構成からなるものである。
【０００９】
請求項４に係る交叉筋交い部材連結具７は、図３及び図４に示すように、吊りボルト１にその上端部が取り付けられその下端部が野縁受け２に直接に傾斜して取り付けられる傾斜状振れ止め部材４等からなる一方の交叉筋交い部材５と、野縁受け２又は野縁受け２間にわたって水平に取り付けられる水平状振れ止め部材４Ａである他方の被交叉筋交い部材６とを互いの交叉面側５ｃ，６ａを当接して、該一方の交叉筋交い部材５と他方の被交叉筋交い部材６とを交叉筋交い部材連結具７によって連結するにあたって、一方の交叉筋交い部材５を一方の交叉筋交い部材連結部８である凹状連結部８Ａに嵌め入れて該凹状連結部８Ａに設けられている一つのビス孔１０からビス１２を一方の交叉筋交い部材５の交叉面側５ｃと他方の被交叉筋交い部材６の交叉面側６ａとに貫通してビス止めされ、他方の被交叉筋交い部材６の交叉面側６ａを他方の被交叉筋交い部材連結部９である平面鍔状被連結部９Ａに当接して、一方の交叉筋交い部材５の傾斜度に合わせて被交叉筋交い部材６の交叉面側６ａに当接する平面鍔状被連結部９Ａに設けている複数のビス孔１１から単数又は複数のビス１３を他方の被交叉筋交い部材６の交叉面側６ａを貫通してビス止めしてなる請求項２に記載の構成からなるものである。
【００１０】
請求項５に係る交叉筋交い部材連結具７は、図３及び図５に示すように、天井躯体部Ｓにその上端部が取り付けられその下端部が野縁受け２に直接に垂直に取り付けられる垂直状振れ止め部材４等からなる一方の交叉筋交い部材５と、野縁受け２又は野縁受け２間にわたって水平に取り付けられる水平状振れ止め部材４Ａである他方の被交叉筋交い部材６とを互いの交叉面側当接部５ｃ，６ａを当接して、該一方の交叉筋交い部材５と他方の被交叉筋交い部材６とを交叉筋交い部材連結具７によって連結するにあたって、一方の交叉筋交い部材５を一方の交叉筋交い部材連結部８である凹状連結部８Ａに嵌め入れて該凹状連結部８Ａに設けられている一つのビス孔１０からビス１２を一方の交叉筋交い部材５の交叉面側５ｃと他方の被交叉筋交い部材６の交叉面側６ａとに貫通してビス止めし、他方の被交叉筋交い部材６の交叉面側６ａを他方の被交叉筋交い部材連結部９である平面鍔状被連結部９Ａに当接して、該平面鍔状被連結部９Ａに設けている複数のビス孔１１から単数又は複数のビス１３を他方の被交叉筋交い部材６の交叉面側６ａを貫通してビス止めされてなる請求項２に記載の構成からなるものである。
【００１１】
請求項６に係る交叉筋交い部材連結具７は、前記凹状連結部８Ａはその非交叉面側当接部８ａとその左右両端部を内向きＬ字状に折曲してなる左右両側面側当接部８ｂ，８ｂとによって形成され、平面鍔状被連結部９Ａは凹状連結部８Ａの左右両側面側当接部８ｂ，８ｂの夫々の端部を外向きＬ字状に折曲してなる交叉面側当接部９ａによって形成され、且つ該交叉面側当接部９ａは前記一方の交叉筋交い部材５に対する凹状連結部８Ａの前記被交叉面側当接部８ａよりも一方の交叉筋交い部材５の長手方向に長い当接幅（Ｌ）を有するようになっており、前記凹状連結部８Ａの非交叉面側当接部８ａに一つのビス孔１０が形成され、前記平面鍔状被連結部９Ａには、その当接幅の長い当接幅（Ｌ）方向に適当間隔に複数のビス孔１１が形成され、凹状連結部８Ａと平面鍔状被連結部９Ａとは鋼板の曲げ加工によって一体形成されてなる請求項２に記載の構成からなるものである。
【００１２】
請求項７に係る交叉筋交い部材連結具７は、凹状連結部８Ａの非交叉面側当接部８ａの幅方向中心部に設けられている一つのビス孔１０に嵌挿されるビス１２は凹状連結部８Ａに嵌め入れられた一方の交叉筋交い部材５にビス止めされ、平面鍔状被連結部９Ａにその交叉面側当接部９ａの長い当接幅方向に複数のビス孔１１が設けられ、且つ一方の交叉筋交い部材５と他方の被交叉筋交い部材６との交叉角度如何によらず、平面鍔状被連結部９Ａに設けられる複数のビス孔１１のうち、少なくともその一部のビス孔１１が常に他方の被交叉筋交い部材６の交叉面側６ａに面している請求項２に記載の構成からなるものである。
【００１３】
請求項８に係る交叉筋交い部材連結具７は、天井躯体部Ｓのコーナー隅部に段状の天井材Ｔを形成するにあたって、天井躯体部Ｓに一方の交叉筋交い部材５を交叉筋交い部材連結具７によって取り付け、一方の交叉筋交い部材５に直交するようにして天井躯体部Ｓに他方の被交叉筋交い部材６を交叉筋交い部材連結具７によって取り付け、一方の交叉筋交い部材５と他方の被交叉筋交い部材６とに段状の天井材Ｔを取り付け形成するようにしてなる請求項１〜７の何れかに記載の構成からなるものである。
【考案の効果】
【００１４】
次に、本考案の効果について、図面の参照符号を付して説明する。請求項１に係る交叉筋交い部材連結具７よれば、天井躯体部Ｓより垂設される吊りボルト１に野縁受け２を懸架するために吊りボルト１の下端部１ａに取り付けられ野縁受け懸架金具３、又は天井躯体部Ｓ又は吊りボルト１にその上端部が取り付けられその下端部が野縁受け２に直接に傾斜して又は垂直に取り付けられる傾斜状又は垂直状振れ止め部材４等を一方の交叉筋交い部材５とし、該一方の交叉筋交い部材５に交叉する野縁受け２、又は隣り合う野縁受け２間にわたって交叉して水平に取り付けられる水平状振れ止め部材４Ａ等を他方の被交叉筋交い部材６とし、一方の交叉筋交い部材５とこれに交叉する他方の被交叉筋交い部材６とを互いに交叉状態に連結する交叉筋交い部材連結具７であって、該交叉筋交い部材連結具７は、前記一方の交叉筋交い部材５を連結する一方の交叉筋交い部材連結部８と、該一方の交叉筋交い部材連結部８を挟んでその両側に一体形成され、他方の被交叉筋交い部材６を連結するための他方の被交叉筋交い部材連結部９とからなるものであるから互いに交叉して当接される一方の交叉筋交い部材５と他方の被交叉筋交い部材６とを互いの当接状態で容易に連結することができる。
【００１５】
請求項２に係る交叉筋交い部材連結具７は、主に図１及び図３に示すように、前記一方の交叉筋交い部材連結部８は、該一方の交叉筋交い部材５の非交叉面側５ａに当接する非交叉面側当接部８ａと、該一方の交叉筋交い部材５の左右両側面側５ｂ，５ｂに当接する左右両側面側当接部８ｂ，８ｂとを有し、これらの当接部８ａ，８ｂ，８ｂによって凹状に囲繞されるよう嵌め入れて該交叉筋交い部材５をその長手方向に直交する幅方向への移動を規制する凹状連結部８Ａからなり、該一方の交叉筋交い部材連結部８を挟んでその両側に一体形成される他方の被交叉筋交い部材連結部９は、前記凹状連結部８Ａに嵌め入れられた一方の交叉筋交い部材５と被交叉筋交い部材６とが交叉して互いに当接する交叉面側５ｃ，６ａのうち、被交叉筋交い部材６の交叉面側６ａに当接する交叉面側当接部９ａを有し、且つ該交叉面側当接部９ａは、前記一方の交叉筋交い部材５の非交叉面側５ａに当接する凹状連結部８Ａの前記被交叉面側当接部８ａよりも一方の交叉筋交い部材５の長手方向に長い当接幅（Ｌ）を有する平面鍔状被連結部９Ａからなり、前記一方の交叉筋交い部材連結部８である凹状連結部８Ａの中心部に一つのビス孔１０を設け、前記他方の被交叉筋交い部材連結部９である平面鍔状被連結部９Ａにその長い当接幅（Ｌ）方向に沿うようにして複数のビス孔１１を設けてなるため、該交叉筋交い部材連結具７を一方の交叉筋交い部材５とこれに交叉して当接される他方の被交叉筋交い部材６とになじみ良く取り付け連結することができる。
【００１６】
請求項３に係る交叉筋交い部材連結具７は、図３に示すように、前記吊りボルト１の下端部１ａに取り付けられた野縁受け懸架金具３である一方の交叉筋交い部材５と、これに直交するように水平に交叉して取り付けられる水平状振れ止め部材４Ａである他方の被交叉筋交い部材６とを互いの交叉面側５ｃ，６ａを当接して、該一方の交叉筋交い部材５と他方の被交叉筋交い部材６とを交叉筋交い部材連結具７によって連結するにあたって、一方の交叉筋交い部材５を前記一方の交叉筋交い部材連結部８である凹状連結部８Ａに嵌め入れて該凹状連結部８Ａに設けられているビス孔１０からビス１２を一方の交叉筋交い部材５とこれに交叉する他方の被交叉筋交い部材６の互いの交叉面側５ｃ，６ａを貫通してビス止めされ、他方の被交叉筋交い部材６を他方の被交叉筋交い部材連結部９である平面鍔状被連結部９Ａに当接して、該平面鍔状被連結部９Ａに設けている複数のビス孔１１から単数又は複数のビス１３を他方の被交叉筋交い部材６の交叉面側６ａを貫通してビス止めされてなるため、前記吊りボルト１の下端部１ａに取り付けられた野縁受け懸架金具３である一方の交叉筋交い部材５と、これに直交するように水平に交叉して取り付けられる水平状振れ止め部材４Ａである他方の被交叉筋交い部材６とをなじみ良く取り付け互いに強固に連結することができる。
【００１７】
請求項４に係る交叉筋交い部材連結具７は、図３及び図４に示すように、吊りボルト１にその上端部が取り付けられその下端部が野縁受け２に直接に傾斜して取り付けられる傾斜状振れ止め部材４等からなる一方の交叉筋交い部材５と、野縁受け２又は野縁受け２間にわたって水平に取り付けられる水平状振れ止め部材４Ａである他方の被交叉筋交い部材６とを互いの交叉面側５ｃ，６ａを当接して、該一方の交叉筋交い部材５と他方の被交叉筋交い部材６とを交叉筋交い部材連結具７によって連結するにあたって、一方の交叉筋交い部材５を一方の交叉筋交い部材連結部８である凹状連結部８Ａに嵌め入れて該凹状連結部８Ａに設けられている一つのビス孔１０からビス１２を一方の交叉筋交い部材５の交叉面側５ｃと他方の被交叉筋交い部材６の交叉面側６ａとに貫通してビス止めされ、他方の被交叉筋交い部材６の交叉面側当接部６ａを他方の被交叉筋交い部材連結部９である平面鍔状被連結部９Ａに当接して、一方の交叉筋交い部材５の傾斜度に合わせて被交叉筋交い部材６の交叉面側当接部６ａに当接する平面鍔状被連結部９Ａに設けている複数のビス孔１１から単数又は複数のビス１３を他方の被交叉筋交い部材６の交叉面側６ａを貫通してビス止めしてなるため、吊りボルト１にその上端部が取り付けられその下端部が野縁受け２に直接に傾斜して取り付けられる傾斜状振れ止め部材４等からなる一方の交叉筋交い部材５と、野縁受け２又は野縁受け２間にわたって水平に取り付けられる水平状振れ止め部材４Ａである他方の被交叉筋交い部材６とをなじみ良く取り付け互いに強固に連結することができる。
【００１８】
請求項５に係る交叉筋交い部材連結具７は、図３及び図５に示すように、天井躯体部Ｓにその上端部が取り付けられその下端部が野縁受け２に直接に垂直に取り付けられる垂直状振れ止め部材４等からなる一方の交叉筋交い部材５と、野縁受け２又は野縁受け２間にわたって水平に取り付けられる水平状振れ止め部材４Ａである他方の被交叉筋交い部材６とを互いの交叉面側当接部５ｃ，６ａを当接して、該一方の交叉筋交い部材５と他方の被交叉筋交い部材６とを交叉筋交い部材連結具７によって連結するにあたって、一方の交叉筋交い部材５を一方の交叉筋交い部材連結部８である凹状連結部８Ａに嵌め入れて該凹状連結部８Ａに設けられている一つのビス孔１０からビス１２を一方の交叉筋交い部材５の交叉面側５ｃと他方の被交叉筋交い部材６の交叉面側６ａとに貫通してビス止めし、他方の被交叉筋交い部材６の交叉面側６ａを他方の被交叉筋交い部材連結部９である平面鍔状被連結部９Ａに当接して、該平面鍔状被連結部９Ａに設けている複数のビス孔１１から単数又は複数のビス１３を他方の被交叉筋交い部材６の交叉面側６ａを貫通してビス止めしてなるため、天井躯体部Ｓにその上端部が取り付けられその下端部が野縁受け２に直接に垂直に取り付けられる垂直状振れ止め部材４等からなる一方の交叉筋交い部材５と、野縁受け２間にわたって水平に取り付けられる水平状振れ止め部材４Ａである他方の被交叉筋交い部材６とをなじみ良く取り付け互いに強固に連結することができる。
【００１９】
請求項６に係る交叉筋交い部材連結具７は、前記凹状連結部８Ａはその非交叉面側当接部８ａとその左右両端部を内向きＬ字状に折曲してなる左右両側面側当接部８ｂ，８ｂとによって形成され、平面鍔状被連結部９Ａは凹状連結部８Ａの左右両側面側当接部８ｂ，８ｂの夫々の端部を外向きＬ字状に折曲してなる交叉面側当接部９ａによって形成され、且つ該交叉面側当接部９ａは前記一方の交叉筋交い部材５に対する凹状連結部８Ａの前記被交叉面側当接部８ａよりも一方の交叉筋交い部材５の長手方向に長い当接幅（Ｌ）を有するようになっており、前記凹状連結部８Ａの非交叉面側当接部８ａに一つのビス孔１０が形成され、前記平面鍔状被連結部９Ａには、その当接幅の長い当接幅（Ｌ）方向に適当間隔に複数のビス孔１１が形成され、凹状連結部８Ａと平面鍔状被連結部９Ａとは鋼板の曲げ加工によって一体形成されてなるため、交叉筋交い部材連結具７を鋼板の曲げ加工とビス孔の孔開け加工だけで形成することができるため、極めて安価に製作することができる。
【００２０】
請求項７に係る交叉筋交い部材連結具７は、凹状連結部８Ａの非交叉面側当接部８ａの幅方向中心部に設けられている一つのビス孔１０に嵌挿されるビス１２は凹状連結部８Ａに嵌め入れられた一方の交叉筋交い部材５にビス止めされ、平面鍔状被連結部９Ａにその交叉面側当接部９ａの長い当接幅方向に複数のビス孔１１が設けられ、且つ一方の交叉筋交い部材５と他方の被交叉筋交い部材６との交叉角度如何によらず、平面鍔状被連結部９Ａに設けられる複数のビス孔１１のうち、少なくともその一部のビス孔１１が常に他方の被交叉筋交い部材６の交叉面側６ａに面しているため、一方の交叉筋交い部材５と他方の被交叉筋交い部材６との交叉角度如何によらず、平面鍔状被連結部９Ａに設けられている複数のビス孔１１のうち、少なくともその一部のビス孔１１が常に他方の被交叉筋交い部材６の交叉面側６ａに面しているため、一方の交叉筋交い部材５と他方の被交叉筋交い部材６とは平面鍔状被連結部９Ａによって確実に互いに連結することができる。
【００２１】
請求項８に係る交叉筋交い部材連結具７は、天井躯体部Ｓのコーナー隅部に段状の天井材Ｔを形成するにあたって、天井躯体部Ｓに一方の交叉筋交い部材５を交叉筋交い部材連結具７によって取り付け、一方の交叉筋交い部材５に直交するようにして天井躯体部Ｓに他方の被交叉筋交い部材６を交叉筋交い部材連結具７によって取り付け、一方の交叉筋交い部材５と他方の被交叉筋交い部材６とに段状の天井材Ｔを取り付け形成するようにしてなるため、天井躯体部Ｓのコーナー隅部に段状の天井材Ｔを容易に且つ強固に取り付け形成することができる。
【図面の簡単な説明】
【００２２】
【図１】本考案に係る交叉筋交い部材連結具の一実施形態の斜視図である。
【図２】同交叉筋交い部材連結具の使用状態を示す斜視図である。
【図３】図２における要部を拡大して示す斜視図である。
【図４】同交叉筋交い部材連結具の他の使用状態を示す正面図である。
【図５】同交叉筋交い部材連結具の更に他の使用状態を示す正面図である。
【図６】図５のＡーＡ線断面図である。
【図７】同交叉筋交い部材連結具の更に他の使用状態を示す正面図である。
【図８】同交叉筋交い部材連結具の作用を説明する説明図である。
【図９】（ａ）、（ｂ）及び（ｃ）は、同交叉筋交い部材連結具の使用状態を説明する正面図である。
【考案を実施するための形態】
【００２３】
以下に、本考案に係る野縁受け懸架装置の一実施形態について、図面を参照して具体的に説明すると、図２、特にその要部の拡大図である図３は、本考案に係る交叉筋交い部材連結具７の使用状態を示す斜視図である。
すなわち、天井躯体部Ｓより垂設される吊りボルト１に野縁受け２を懸架するために吊りボルト１の下端部１ａに取り付けられ野縁受け懸架金具３、又は天井躯体部Ｓ又は吊りボルト１にその上端部が取り付けられその下端部が野縁受け２に直接に傾斜して又は垂直に取り付けられる傾斜状又は垂直状振れ止め部材４等を一方の交叉筋交い部材５とし、該一方の交叉筋交い部材５に交叉する野縁受け２、又は隣り合う野縁受け２間にわたって交叉して水平に取り付けられる水平状振れ止め部材４Ａ等を他方の被交叉筋交い部材６とし、一方の交叉筋交い部材５とこれに交叉する他方の被交叉筋交い部材６とを互いに交叉状態に連結する交叉筋交い部材連結具７であって、図１に明瞭に示されるように、該交叉筋交い部材連結具７は、前記一方の交叉筋交い部材５を連結する一方の交叉筋交い部材連結部８と、該一方の交叉筋交い部材連結部８を挟んでその両側に一体形成され、他方の被交叉筋交い部材６を連結するための他方の被交叉筋交い部材連結部９とからなるものである。
【００２４】
そして前記一方の交叉筋交い部材連結部８は、図１〜図３に明瞭に示されるように、該一方の交叉筋交い部材５の非交叉面側５ａに当接する非交叉面側当接部８ａ（図１）と、該一方の交叉筋交い部材５の左右両側面側５ｂ，５ｂに当接する左右両側面側当接部８ｂ，８ｂ（図１）とを有し、これらの当接部８ａ，８ｂ，８ｂによって凹状に囲繞されるよう嵌め入れて該交叉筋交い部材５をその長手方向に直交する幅方向への移動を規制する凹状連結部８Ａ（図１）からなり、該一方の交叉筋交い部材連結部８を挟んでその両側に一体形成される他方の被交叉筋交い部材連結部９は、図１及び図３に示すように、前記凹状連結部８Ａに嵌め入れられた一方の交叉筋交い部材５と被交叉筋交い部材６とが交叉して互いに当接する交叉面側５ｃ，６ａのうち、被交叉筋交い部材６の交叉面側６ａに当接する交叉面側当接部９ａを有し、且つ該交叉面側当接部９ａは、前記一方の交叉筋交い部材５の非交叉面側５ａに当接する凹状連結部８Ａの前記被交叉面側当接部８ａよりも一方の交叉筋交い部材５の長手方向に長い当接幅（Ｌ）を有する平面鍔状被連結部９Ａからなり、前記一方の交叉筋交い部材連結部８である凹状連結部８Ａの中心部に一つのビス孔１０を設け、前記他方の被交叉筋交い部材連結部９である平面鍔状被連結部９Ａにその長い当接幅（Ｌ）方向に沿うようにして複数のビス孔１１を設けている。図１に明瞭に示されるように、夫々の平面鍔状被連結部９Ａに設けたビス孔１１は、図示では夫々に５つ設けられているが、４つ又は３つでもよい。３つの場合には長手方向中央部と長手方向両端部とれ夫々１つ設けることが好ましい。
【００２５】
又、前記吊りボルト１の下端部１ａに取り付けられた野縁受け懸架金具３である一方の交叉筋交い部材５と、野縁受け２又はこれに直交するように水平に交叉して取り付けられる水平状振れ止め部材４Ａである他方の被交叉筋交い部材６とを互いの交叉面側５ｃ，６ａを当接して、該一方の交叉筋交い部材５と他方の被交叉筋交い部材６とを交叉筋交い部材連結具７によって連結するにあたって、一方の交叉筋交い部材５を前記一方の交叉筋交い部材連結部８である凹状連結部８Ａに嵌め入れて該凹状連結部８Ａに設けられているビス孔１０からビス１２を一方の交叉筋交い部材５とこれに交叉する他方の被交叉筋交い部材６の互いの交叉面側５ｃ，６ａを貫通してビス止めされ、他方の被交叉筋交い部材６を他方の被交叉筋交い部材連結部９である平面鍔状被連結部９Ａに当接して、該平面鍔状被連結部９Ａに設けている複数のビス孔１１から単数又は複数のビス１３を他方の被交叉筋交い部材６の交叉面側６ａを貫通してビス止めされる。
【００２６】
更に又、他の使用例として、図３及び図４に示すように、吊りボルト１にその上端部が取り付けられその下端部が野縁受け２に直接に傾斜して取り付けられる傾斜状振れ止め部材４等からなる一方の交叉筋交い部材５と、野縁受け２又は野縁受け２間にわたって水平に取り付けられる水平状振れ止め部材４Ａである他方の被交叉筋交い部材６とを互いの交叉面側５ｃ，６ａを当接して、該一方の交叉筋交い部材５と他方の被交叉筋交い部材６とを交叉筋交い部材連結具７によって連結するにあたって、一方の交叉筋交い部材５を一方の交叉筋交い部材連結部８である凹状連結部８Ａに嵌め入れて該凹状連結部８Ａに設けられている一つのビス孔１０からビス１２を一方の交叉筋交い部材５の交叉面側５ｃと他方の被交叉筋交い部材６の交叉面側６ａとに貫通してビス止めされ、他方の被交叉筋交い部材６の交叉面側当接部６ａを他方の被交叉筋交い部材連結部９である平面鍔状被連結部９Ａに当接して、一方の交叉筋交い部材５の傾斜度に合わせて被交叉筋交い部材６の交叉面側当接部６ａに当接する平面鍔状被連結部９Ａに設けている複数のビス孔１１から複数のビス１３を他方の被交叉筋交い部材６の交叉面側６ａを貫通してビス止めされる。なお、図示では複数のビス孔１１に複数のビス１３をねじ止めしているが、一つのビス１３だけでねじ止めするようにしてもよい。
【００２７】
更に又、他の使用例として、図３及び図５に示すように、天井躯体部Ｓにその上端部が取り付けられその下端部が野縁受け２に直接に垂直に取り付けられる垂直状振れ止め部材４等からなる一方の交叉筋交い部材５と、野縁受け２又は野縁受け２間にわたって水平に取り付けられる水平状振れ止め部材４Ａである他方の被交叉筋交い部材６とを互いの交叉面側当接部５ｃ，６ａを当接して、該一方の交叉筋交い部材５と他方の被交叉筋交い部材６とを交叉筋交い部材連結具７によって連結するにあたって、一方の交叉筋交い部材５を一方の交叉筋交い部材連結部８である凹状連結部８Ａに嵌め入れて該凹状連結部８Ａに設けられている一つのビス孔１０からビス１２を一方の交叉筋交い部材５の交叉面側５ｃと他方の被交叉筋交い部材６の交叉面側６ａとに貫通してビス止めし、他方の被交叉筋交い部材６の交叉面側６ａを他方の被交叉筋交い部材連結部９である平面鍔状被連結部９Ａに当接して、該平面鍔状被連結部９Ａに設けている複数のビス孔１１から複数のビス１３を他方の被交叉筋交い部材６の交叉面側６ａを貫通してビス止めされる。なお、図示では複数のビス孔１１に複数のビス１３をねじ止めしているが、一つのビス１３だけでねじ止めするようにしてもよい。
【００２８】
そして、交叉筋交い部材連結具７は、図１によく示されるように、前記凹状連結部８Ａはその非交叉面側当接部８ａとその左右両端部を内向きＬ字状に折曲してなる左右両側面側当接部８ｂ，８ｂとによって形成され、平面鍔状被連結部９Ａは凹状連結部８Ａの左右両側面側当接部８ｂ，８ｂの夫々の端部を外向きＬ字状に折曲してなる交叉面側当接部９ａによって形成され、且つ該交叉面側当接部９ａは前記一方の交叉筋交い部材５に対する凹状連結部８Ａの前記被交叉面側当接部８ａよりも一方の交叉筋交い部材５の長手方向に長い当接幅（Ｌ）を有するようになっており、前記凹状連結部８Ａの非交叉面側当接部８ａに一つのビス孔１０が形成され、前記平面鍔状被連結部９Ａには、その当接幅の長い当接幅方向に適当間隔に複数のビス孔１１が形成され、凹状連結部８Ａと平面鍔状被連結部９Ａとは鋼板の曲げ加工によって一体形成されてなる。このように、凹状連結部８Ａと平面鍔状被連結部９Ａとは鋼板の曲げ加工と両者に対するビス孔の孔開け加工だけで形成することができるため、極めて安価に製作することができる。
【００２９】
特に本考案に係る交叉筋交い部材連結具７によれば、凹状連結部８Ａの非交叉面側当接部８ａの幅方向中心部に設けられている一つのビス孔１０に嵌挿されるビス１２は凹状連結部８Ａに嵌め入れられた一方の交叉筋交い部材５にビス止めされ、平面鍔状被連結部９Ａにその交叉面側当接部９ａの長い当接幅（Ｌ）方向に複数のビス孔１１が設けられるため、一方の交叉筋交い部材５と他方の被交叉筋交い部材６との交叉角度如何によらず、平面鍔状被連結部９Ａに設けられる複数のビス孔１１のうち、少なくともその一部のビス孔１１が常に他方の被交叉筋交い部材６の交叉面側６ａに面しており、一方の交叉筋交い部材５と他方の被交叉筋交い部材６との交叉角度（θ）（図３）の大小に係わらず、確実に両者を連結することができる。
【００３０】
なお、野縁受け３には、周知のように、これに直交して野縁Ｎが周知のクリップＣによって連結されており、野縁Ｎに天井ボードなどの天井材Ｔがビスや接着剤によって固着されている。
【００３１】
図４は、更に交叉筋交い部材連結具７の他の使用例を示すものである。鉄骨製建物の屋根材Ｙは、これに並行して設けられる天井躯体部ＳであるＣ形溝形鋼からなる梁材及びこれに直交して設けれるＣ形溝形鋼からなる母屋によって支持されるが、この天井躯体部Ｓには図示しないが野縁受けを吊持する吊りボルトが設けられており、この吊りボルトに隣接して、傾斜状の振れ止め部材４である一方の交叉筋交い部材５が天井躯体部Ｓに適当な枢着金具１４によって取り付けられており、その下端部が野縁受け２である他方の被交叉筋交い部材６に交叉筋交い部材連結具７によって連結した状態を示している。なお、交叉筋交い部材連結具７の詳細を図示のように拡大して説明してあるが、これはこれまでに説明した内容と同じであるので、それに該当する符号を各構成要素に付して説明を省略する。なお、野縁受け２は周知のようにクリップＣ及び野縁Ｎを介して天井材Ｔを取り付けるようになっている。
【００３２】
このように、上端部を天井躯体部Ｓに傾斜状に取り付けた傾斜状の振れ止め部材４である一方の交叉筋交い部材５は、その下端部が交叉筋交い部材連結具７によって容易に他方の被交叉筋交い部材６に連結することができ、その作業性が極めてよい。
図５及びその断面図である図６は、更に交叉筋交い部材連結具７の他の使用例を示すものである。図４と同じように、鉄骨製建物の屋根材Ｙは、これに並行して設けられる天井躯体部ＳであるＣ形溝形鋼からなる梁材及びこれに直交して設けれるＣ形溝形鋼からなる母屋によって支持されるが、この天井躯体部Ｓには図示しないが野縁受けを吊持する吊りボルトが設けられており、この吊りボルトに隣接して、垂直状に取り付けられる垂直状振れ止め部材４等からなる一方の交叉筋交い部材５の上端部が天井躯体部Ｓに交叉筋交い部材連結具７によって取り付けられており、その下端部も交叉筋交い部材連結具７によって他方の被交叉筋交い部材６に連結されており、同じ構造の交叉筋交い部材連結具７によって垂直状振れ止め部材４等からなる一方の交叉筋交い部材５の上端部が天井躯体部Ｓ及び他方の被交叉筋交い部材６に連結することができるため、その作業性が極めてよい。
【００３３】
図７は、更に又交叉筋交い部材連結具７の他の使用例を示すものである。天井躯体部Ｓのコーナー隅部に段状の天井材Ｔを形成するにあたって、天井躯体部Ｓに一方の交叉筋交い部材５を交叉筋交い部材連結具７によって垂直に取り付け、一方の交叉筋交い部材５に直交するようにして天井躯体部Ｓに他方の被交叉筋交い部材６を交叉筋交い部材連結具７によって水平に取り付け、両交叉筋交い部材５，６に夫々周知のクリップＣ及び野縁Ｎを介して天井材Ｔを段状に取り付け形成するようにしている。このように、交叉筋交い部材連結具７によって、天井躯体部Ｓのコーナー隅部に段状の天井材Ｔを容易に且つ強固に取り付け形成することができる。
【００３４】
図８は、交叉筋交い部材連結具７の一方の交叉筋交い部材連結部８である凹状連結部８Ａに垂直に取り付けた振れ止め部材４である一方の交叉筋交い部材５と、これに交叉して交叉筋交い部材連結具７の他方の被交叉筋交い部材連結部９である平面鍔状被連結部９Ａに取り付けた他方の被交叉筋交い部材６との交叉角度（θ）（図３も参照）を示すもので、図９に示すように、一方の交叉筋交い部材連結部８である凹状連結部８Ａに取り付けた振れ止め部材４である一方の交叉筋交い部材５と、これに交叉して交叉筋交い部材連結具７の他方の被交叉筋交い部材連結部９である平面鍔状被連結部９Ａに取り付けた他方の被交叉筋交い部材６との間で、一方の交叉筋交い部材５の傾斜角度が図９の（ｂ）又は（ｃ）に示すように大きく変わっても、平面鍔状被連結部９Ａに設けている複数のビス孔１１のうち、何れかのビス孔１１は常に他方の被交叉筋交い部材６の交叉面側６ａに面しており、両筋交い部材５、７間の交叉角度如何によらず、両者を確実に連結することができる。
【符号の説明】
【００３５】
Ｓ          天井躯体部
１          吊りボルト
１ａ        吊りボルト１の下端部
２          野縁受け
３          野縁受け懸架金具
４          振れ止め部材
５          一方の交叉筋交い部材
５ａ        一方の交叉筋交い部材５の非交叉面側
５ｂ        一方の交叉筋交い部材５の左右両側面側
５ｃ        一方の交叉筋交い部材５の交叉面側
６          他方の被交叉筋交い部材
７          交叉筋交い部材連結具
８          一方の交叉筋交い部材連結部
８ａ        非交叉面側当接部
８ｂ        左右両側面側当接部
８Ａ        凹状連結部
９          他方の被交叉筋交い部材連結部
９Ａ        平面鍔状被連結部
９ａ        交叉面側当接部
１０        ビス孔
１１        ビス孔
１２        ビス
１３        ビス
【図１】
0003211604.tif 000003
【図２】
0003211604.tif 000004
【図３】
0003211604.tif 000005
【図４】
0003211604.tif 000006
【図５】
0003211604.tif 000007
【図６】
0003211604.tif 000008
【図７】
0003211604.tif 000009
【図８】
0003211604.tif 000010
【図９】
0003211604.tif 000011
【手続補正書】
【提出日】平成29年5月26日(2017.5.26)
【手続補正１】
【補正対象書類名】実用新案登録請求の範囲
【補正対象項目名】全文
【補正方法】変更
【補正の内容】
【実用新案登録請求の範囲】
【請求項１】
天井躯体部Ｓより垂設される吊りボルト１に野縁受け２を懸架するために吊りボルト１の下端部１ａに取り付けられ野縁受け懸架金具３、又は天井躯体部Ｓ又は吊りボルト１にその上端部が取り付けられその下端部が野縁受け２に直接に傾斜して又は垂直に取り付けられる傾斜状又は垂直状振れ止め部材４を一方の交叉筋交い部材５とし、該一方の交叉筋交い部材５に交叉する野縁受け２、又は隣り合う野縁受け２間にわたって交叉して水平に取り付けられる水平状振れ止め部材４Ａを他方の被交叉筋交い部材６とし、一方の交叉筋交い部材５とこれに交叉する他方の被交叉筋交い部材６とを互いに交叉状態に連結する交叉筋交い部材連結具７であって、
該交叉筋交い部材連結具７は、前記一方の交叉筋交い部材５を連結する一方の交叉筋交い部材連結部８と、該一方の交叉筋交い部材連結部８を挟んでその両側に一体形成され、他方の被交叉筋交い部材６を連結するための他方の被交叉筋交い部材連結部９とからなる交叉筋交い部材連結具。
【請求項２】
前記一方の交叉筋交い部材連結部８は、該一方の交叉筋交い部材５の非交叉面側５ａに当接する非交叉面側当接部８ａと、該一方の交叉筋交い部材５の左右両側面側５ｂ，５ｂに当接する左右両側面側当接部８ｂ，８ｂとを有し、これらの当接部８ａ，８ｂ，８ｂによって凹状に囲繞されるよう嵌め入れて該交叉筋交い部材５をその長手方向に直交する幅方向への移動を規制する凹状連結部８Ａからなり、該一方の交叉筋交い部材連結部８を挟んでその両側に一体形成される他方の被交叉筋交い部材連結部９は、前記凹状連結部８Ａに嵌め入れられた一方の交叉筋交い部材５と被交叉筋交い部材６とが交叉して互いに当接する交叉面側５ｃ，６ａのうち、被交叉筋交い部材６の交叉面側６ａに当接する交叉面側当接部９ａを有し、且つ該交叉面側当接部９ａは、前記一方の交叉筋交い部材５の非交叉面側５ａに当接する凹状連結部８Ａの前記非交叉面側当接部８ａよりも一方の交叉筋交い部材５の長手方向に長い当接幅Ｌを有する平面鍔状被連結部９Ａからなり、前記一方の交叉筋交い部材連結部８である凹状連結部８Ａの中心部に一つのビス孔１０を設け、前記他方の被交叉筋交い部材連結部９である平面鍔状被連結部９Ａにその長い当接幅Ｌ方向に沿うようにして複数のビス孔１１を設けてなる請求項１に記載の交叉筋交い部材連結具。
【請求項３】
前記吊りボルト１の下端部１ａに取り付けられた野縁受け懸架金具３である一方の交叉筋交い部材５と、これに直交するように水平に交叉して取り付けられる水平状振れ止め部材４Ａである他方の被交叉筋交い部材６とを互いの交叉面側５ｃ，６ａを当接して、該一方の交叉筋交い部材５と他方の被交叉筋交い部材６とを交叉筋交い部材連結具７によって連結するにあたって、一方の交叉筋交い部材５を前記一方の交叉筋交い部材連結部８である凹状連結部８Ａに嵌め入れて該凹状連結部８Ａに設けられているビス孔１０からビス１２を一方の交叉筋交い部材５とこれに交叉する他方の被交叉筋交い部材６の互いの交叉面側５ｃ，６ａを貫通してビス止めされ、他方の被交叉筋交い部材６を他方の被交叉筋交い部材連結部９である平面鍔状被連結部９Ａに当接して、該平面鍔状被連結部９Ａに設けている複数のビス孔１１から単数又は複数のビス１３を他方の被交叉筋交い部材６の交叉面側６ａを貫通してビス止めされてなる請求項２に記載の交叉筋交い部材連結具。
【請求項４】
吊りボルト１にその上端部が取り付けられその下端部が野縁受け２に直接に傾斜して取り付けられる傾斜状振れ止め部材４からなる一方の交叉筋交い部材５と、野縁受け２又は野縁受け２間にわたって水平に取り付けられる水平状振れ止め部材４Ａである他方の被交叉筋交い部材６とを互いの交叉面側５ｃ，６ａを当接して、該一方の交叉筋交い部材５と他方の被交叉筋交い部材６とを交叉筋交い部材連結具７によって連結するにあたって、一方の交叉筋交い部材５を一方の交叉筋交い部材連結部８である凹状連結部８Ａに嵌め入れて該凹状連結部８Ａに設けられている一つのビス孔１０からビス１２を一方の交叉筋交い部材５の交叉面側５ｃと他方の被交叉筋交い部材６の交叉面側６ａとに貫通してビス止めされ、他方の被交叉筋交い部材６の交叉面側６ａを他方の被交叉筋交い部材連結部９である平面鍔状被連結部９Ａに当接して、一方の交叉筋交い部材５の傾斜度に合わせて被交叉筋交い部材６の交叉面側６ａに当接する平面鍔状被連結部９Ａに設けている複数のビス孔１１から単数又は複数のビス１３を他方の被交叉筋交い部材６の交叉面側６ａを貫通してビス止めしてなる請求項２に記載の交叉筋交い部材連結具。
【請求項５】
天井躯体部Ｓにその上端部が取り付けられその下端部が野縁受け２に直接に垂直に取り付けられる垂直状振れ止め部材４からなる一方の交叉筋交い部材５と、野縁受け２又は野縁受け２間にわたって水平に取り付けられる水平状振れ止め部材４Ａである他方の被交叉筋交い部材６とを互いの交叉面側当接部５ｃ，６ａを当接して、該一方の交叉筋交い部材５と他方の被交叉筋交い部材６とを交叉筋交い部材連結具７によって連結するにあたって、一方の交叉筋交い部材５を一方の交叉筋交い部材連結部８である凹状連結部８Ａに嵌め入れて該凹状連結部８Ａに設けられている一つのビス孔１０からビス１２を一方の交叉筋交い部材５の交叉面側５ｃと他方の被交叉筋交い部材６の交叉面側６ａとに貫通してビス止めし、他方の被交叉筋交い部材６の交叉面側６ａを他方の被交叉筋交い部材連結部９である平面鍔状被連結部９Ａに当接して、該平面鍔状被連結部９Ａに設けている複数のビス孔１１から単数又は複数のビス１３を他方の被交叉筋交い部材６の交叉面側６ａを貫通してビス止めされてなる請求項２に記載の交叉筋交い部材連結具。
【請求項６】
前記凹状連結部８Ａはその非交叉面側当接部８ａとその左右両端部を内向きＬ字状に折曲してなる左右両側面側当接部８ｂ，８ｂとによって形成され、平面鍔状被連結部９Ａは凹状連結部８Ａの左右両側面側当接部８ｂ，８ｂの夫々の端部を外向きＬ字状に折曲してなる交叉面側当接部９ａによって形成され、且つ該交叉面側当接部９ａは前記一方の交叉筋交い部材５に対する凹状連結部８Ａの前記非交叉面側当接部８ａよりも一方の交叉筋交い部材５の長手方向に長い当接幅Ｌを有するようになっており、前記凹状連結部８Ａの非交叉面側当接部８ａに一つのビス孔１０が形成され、前記平面鍔状被連結部９Ａには、その当接幅の長い当接幅Ｌ方向に適当間隔に複数のビス孔１１が形成され、凹状連結部８Ａと平面鍔状被連結部９Ａとは鋼板の曲げ加工によって一体形成されてなる請求項２に記載の交叉筋交い部材連結具
【請求項７】
凹状連結部８Ａの非交叉面側当接部８ａの幅方向中心部に設けられている一つのビス孔１０に嵌挿されるビス１２は凹状連結部８Ａに嵌め入れられた一方の交叉筋交い部材５にビス止めされ、平面鍔状被連結部９Ａにその交叉面側当接部９ａの長い当接幅方向に複数のビス孔１１が設けられ、且つ一方の交叉筋交い部材５と他方の被交叉筋交い部材６との交叉角度如何によらず、平面鍔状被連結部９Ａに設けられる複数のビス孔１１のうち、少なくともその一部のビス孔１１が常に他方の被交叉筋交い部材６の交叉面側６ａに面している請求項２に記載の交叉筋交い部材連結具。
【請求項８】
天井躯体部Ｓのコーナー隅部に段状の天井材Ｔを形成するにあたって、天井躯体部Ｓ
に一方の交叉筋交い部材５を交叉筋交い部材連結具７によって取り付け、一方の交叉筋交い部材５のに直交するようにして天井躯体部Ｓに他方の被交叉筋交い部材６を交叉筋交い部材連結具７によって取り付け、一方の交叉筋交い部材５と他方の被交叉筋交い部材６とに段状の天井材Ｔを取り付け形成するようにしてなる請求項１〜７の何れかに記載の交叉筋交い部材連結具。